(57)【特許請求の範囲】
【請求項１】
蒸散剤を収容した蒸散容器を加熱する加熱器であって、
該蒸散容器を格納する容器格納部の球面状の曲面或いは湾曲面の内面を正面側の上部から下方にかけて形成する第１ハウジングと、第１ハウジングの容器格納部を形成する側と反対側であって該加熱器の背面側となる側に着脱可能にされる第２ハウジングを有し、
第１ハウジングと第２ハウジングの間に、該第１ハウジングの容器格納部に沿う板状のヒータを鉛直面に対して傾く配置で内蔵し、第２ハウジングに該ヒータが着座する支持突部を設け、第２ハウジングにおける該ヒータの着座部分の周辺に断熱空気層からなる断熱部を設けた加熱器。
【請求項２】
前記ヒータが自己温度制御機能をもつ請求項１に記載の加熱器。
【請求項３】
放熱フィンや放熱口を備えない請求項１又は２に記載の加熱器。
【発明の詳細な説明】
【０００１】
【発明の属する技術分野】
本発明は加熱器に関する。
【０００２】
【従来の技術】
蒸散剤の加熱器として、蒸散剤を収容した蒸散容器をハウジングの容器格納部に格納して加熱し、蒸散剤の蒸気を外部空間へと蒸散させるものがある。
【０００３】
【発明が解決しようとする課題】
従来の加熱器は、ハウジングの容器格納部への蒸散容器の入れ替え等の取扱いのため、ハウジングのオーバーヒートを防止すべく、放熱フィンや放熱口を備えているから、加熱器の外観性が悪いし、加熱器の内部へ異物が侵入し易い。また、加熱器の発熱の一部が放熱フィンや放熱口から無駄に放熱してしまい、加熱効率も悪い。
【０００４】
本発明の課題は、加熱器の外観性を向上し、加熱器の内部への異物の侵入を回避し、加熱器による蒸散容器の加熱効率も向上することにある。
【０００５】
【課題を解決するための手段】
請求項１の発明は、蒸散剤を収容した蒸散容器を加熱する加熱器であって、該蒸散容器を格納する容器格納部の球面状の曲面或いは湾曲面の内面を正面側の上部から下方にかけて形成する第１ハウジングと、第１ハウジングの容器格納部を形成する側と反対側であって該加熱器の背面側となる側に着脱可能にされる第２ハウジングを有し、
第１ハウジングと第２ハウジングの間に、該第１ハウジングの容器格納部に沿う板状のヒータを鉛直面に対して傾く配置で内蔵し、第２ハウジングに該ヒータが着座する支持突部を設け、第２ハウジングにおける該ヒータの着座部分の周辺に断熱空気層からなる断熱部を設けたものである。
【０００６】
【発明の実施の形態】
加熱器１０は、図１に示す如く、ハウジング１１に蒸散容器３０のための容器格納部１２を備える。容器格納部１２は上部がドーム状に開口しており、該開口から蒸散容器３０を出し入れする。容器格納部１２の内面１２Ａは球面状の曲面或いは湾曲面とされ、該容器格納部１２の下部格納空間は、凸部１２Ｂから下方へ向かうに従い、徐々に断面積が減少するよう形成される。ハウジング１１の容器格納部１２を挟む正面にはキャップ１３が着脱可能とされ、キャップ１３に香気蒸散口１３Ａを備える。
【０００７】
加熱器１０のハウジング１１は、容器格納部１２を形成する第１ハウジング１１Ａと、第１ハウジング１１Ａの容器格納部１２を形成する側と反対側に着脱可能とされる第２ハウジング１１Ｂとからなり、第１ハウジング１１Ａと第２ハウジング１１Ｂの間にヒータ２０を内蔵している。ヒータ２０は、第２ハウジング１１Ｂに設けた支持突部１４に着座する電極端子２１と、電極端子２１のばね製突部２１Ａに背面支持されて電気的に接触されるヒータ素子２２と、ヒータ素子２２の前面に密着する状態で第１ハウジング１１Ａに密着する放熱端子２３とからなり、電極端子２１をプラグ２４に接続している。加熱器１０は、プラグ２４を壁面のコンセントに差し込んで使用するものとなる。
【０００８】
ここで、加熱器１０はヒータ２０を以下の如くに構成している。
ヒータ２０の放熱端子２３を板状とし、この放熱端子２３を第１ハウジング１１Ａの容器格納部１２の曲面状内面１２Ａに沿うように設けている。また、放熱端子２３の中心部を容器格納部１２の曲面状内面１２Ａの中心部（後述する突部１２Ｂ）より下部寄りにずらし、かつ放熱端子２３が上端部の側よりも下端部の側で曲面状内面１２Ａにより近づくように該放熱端子２３を鉛直面に対して傾き配置している。
【０００９】
ハウジング１１におけるヒータ２０の容器格納部１２に臨む側と反対側、換言すれば第２ハウジング１１Ｂにおける電極端子２１の着座部分の周辺に、断熱空気層２５Ａからなる断熱部２５を設け、第２ハウジング１１Ｂの外面に放熱フィンや放熱口を備えない構成とした。
【００１０】
ヒータ２０のヒータ素子２２が自己温度制御機能をもつものとした。即ち、ヒータ２０（ヒータ素子２２、放熱端子２３）が一定温度を越えると、ヒータ素子２２の抵抗が大きくなって通電を制限し、オーバーヒートを防止する。ヒータ２０は、例えば、電極端子２１をステンレス鋼、放熱端子２３をアルミにて構成し、放熱端子２３を６０℃にするとき、消費電力０．４Ｗで容器格納部１２の内面１２Ａを５０℃、第１ハウジング１１Ｂの外面を３０℃にすることができた。従来技術では、容器格納部１２の内面１２Ａを５０℃にするための消費電力は１．５Ｗであった。
【００１１】
尚、蒸散容器３０は、蒸散剤１を収容するケース３１を容器格納部１２の内面１２Ａに隙間なく又は微小隙間を介して沿う略球面３１Ａとし、その内外面を丸味を帯びたドーム状曲面とする。更に、ケース３１の内面を外側に凸形状面とし、該凸形状外側表面に凹部３１Ｂを設けることで、表面の剛性が向上し、更に変形が防止される。また、凹部３１Ｂを蒸散容器３０の表面中央部に設け、凹部３１Ｂに対応する位置の加熱器１０における容器格納部１２の内面１２Ａに凸部１２Ｂを設けることで、互いに係止し、加熱器１０を逆さまにしても、蒸散容器３０の落下を防止できる。ケース３１の開口をガス透過性の、延伸性のフィルム等のフィルム３２によってシールしている。蒸散剤１は、香料（殺虫剤等であっても良い）と溶剤とゲル化物を混合ゲル化したものを使用できる。
【００１２】
加熱器１０にあっては、ハウジング１１の容器格納部１２に蒸散容器３０を交換可能に格納して用いられ、ヒータ２０によって蒸散容器３０をケース３１の外側から加熱することにより蒸散する蒸散剤１の蒸気をフィルム３２に透過させて外部空間へと蒸散させる。このとき、蒸散剤１の蒸散につれて蒸散容器３０における蒸散剤１の剤面レベルが重力により下降していき、フィルム３０には蒸散剤１の蒸散によってケース３１の内圧が減圧するに従い、ケース３１の内側に残存する蒸散剤１に倣うように凹状に伸び変形する。
【００１３】
従って、本実施形態によれば、以下の作用がある。
▲１▼加熱器１０が放熱フィンや放熱口を備えないから、外観がスマートになり、女性にも受入れ易くなる。放熱口がないから、加熱器１０の内部への異物の侵入を回避し、安定して動作できる。
【００１４】
▲２▼ハウジング１１におけるヒータ２０の容器格納部１２に臨む側と反対側に断熱部２５を設けたから、ヒータ２０の発熱が容器格納部１２へと有効に伝わり、その反対側から無駄に放熱することがなくなる。従って、放熱フィンがなくてもハウジング１１のオーバーヒートを防ぐことができるし、加熱効率を向上できる。
【００１５】
▲３▼断熱部２５を断熱空気層２５Ａにて構成することにより、簡易に断熱部２５を構成できる。
【００１６】
▲４▼ヒータ２０が自己温度制御機能をもつから、容器格納部１２のオーバーヒートを確実に防止でき、加熱効率を向上できる。
【００１７】
図２の加熱器１０が図１の加熱器１０と実質的に異なる点は、ハウジング１１が形成する容器格納部１２の内面１２Ａを全面的に球面状の曲面とし、かつヒータ２０の放熱端子２３も上記曲面状内面１２Ａの中心部まわりの上下左右の広い範囲に沿う球面状の曲面としたことにある。
【００１８】
【発明の効果】
以上のように本発明によれば、加熱器の外観性を向上し、加熱器の内部への異物の侵入を回避し、加熱器による蒸散容器の加熱効率も向上することができる。
【図面の簡単な説明】
【図１】図１は第１実施形態の加熱器を示す断面図である。
【図２】図２は第２実施形態の加熱器を示す断面図である。
【符号の説明】
１  蒸散剤
１０  加熱器
１１  ハウジング
１２  容器格納部
２０  ヒータ
２５  断熱部
２５Ａ  断熱空気層
３０  蒸散容器
【図１】
0003585164.tif 000002
【図２】
0003585164.tif 000003